(57)【要約】【課題】  マンション等の集合住宅や都会の住宅密集地において、隣家で無線ＬＡＮを使用している場合でも、隣家の無線ＬＡＮシステムに接続されることがなく、また、プライベートなデータが隣家に流れることがなく、コンピュータとコンピュータの周辺機器とを、無線ＬＡＮで安全に接続するようにする。【解決手段】  コンピュータ周辺機器の無線ＬＡＮ装置のＩＤや暗号鍵は、コンピュータ周辺機器の製造番号に基づいて計算され、コンピュータ周辺機器の無線ＬＡＮ装置に記憶され、一方、コンピュータ周辺機器と無線接続されるコンピュータのＩＤや暗号鍵は、コンピュータ周辺機器のドライバソフトをインストールするときにコンピュータ周辺機器の製造番号を入力し、コンピュータ上で無線ＬＡＮ装置のＩＤや暗号鍵が計算され、コンピュータの無線ＬＡＮ装置に記憶され、コンピュータ周辺機器と同じＩＤと暗号鍵を設定できる。【選択図】  図１
2005167739.tif 000002
【特許請求の範囲】
【請求項１】
コンピュータ周辺機器の無線ＬＡＮ装置と、コンピュータの無線ＬＡＮ装置との初期設定方法であって、
上記コンピュータ周辺機器の識別情報に基づいて、上記コンピュータ周辺機器の無線ＬＡＮ装置による通信に使用するＩＤ情報、暗号鍵を計算する第１の計算段階と；
上記計算されたＩＤ情報、暗号鍵を、上記コンピュータ周辺機器の無線ＬＡＮ装置に記憶する第１の記憶制御段階と；
上記コンピュータ周辺機器のドライバソフトを、上記コンピュータにインストールする際に、入力された上記コンピュータ周辺機器の識別情報に基づいて、上記コンピュータ上で無線ＬＡＮ装置による通信に使用するＩＤ情報、暗号鍵を、上記コンピュータ周辺機器と同じアルゴリズムで計算する第２の計算段階と；
上記第２の計算段階で計算された上記ＩＤ情報、暗号鍵を、上記コンピュータの無線ＬＡＮ装置に記憶する第２の記憶制御段階と；
を有することを特徴とする無線ＬＡＮ装置の初期設定方法。
【請求項２】
無線ＬＡＮ装置による通信が可能であるコンピュータ周辺機器において、
上記コンピュータ周辺機器の識別情報に基づいて、上記無線ＬＡＮ装置の通信に使用するＩＤ情報および暗号鍵を算出する計算手段と；
上記計算手段により算出されたＩＤ情報、暗号鍵を上記無線ＬＡＮ装置の通信に使用するＩＤ情報および暗号鍵として設定する設定手段と；
を有することを特徴とするコンピュータ周辺機器。
【請求項３】
請求項２において、
上記ＩＤ、暗号鍵の計算は、上記無線ＬＡＮ装置を、上記コンピュータの周辺機器に接続したときに、または、上記無線ＬＡＮ装置を、上記コンピュータ周辺機器に接続し、初めて電源を投入したときに実行されることを特徴とするコンピュータ周辺機器。
【請求項４】
無線ＬＡＮ装置を用いて通信する情報処理装置において、
上記情報処理装置の周辺機器のドライバソフトをインストールする際に入力された上記周辺機器の識別情報に基づいて、上記無線ＬＡＮ機器による通信に使用するＩＤ情報および暗号鍵を計算する計算手段と；
上記計算手段により算出された上記ＩＤ情報および暗号鍵を、上記無線ＬＡＮ機器の通信用ＩＤ情報および暗号鍵として設定する設定手段と；
を有することを特徴とする情報処理装置。
【請求項５】
コンピュータ周辺機器における無線ＬＡＮ装置の設定方法において、
上記コンピュータ周辺機器の識別情報に基づいて、上記無線ＬＡＮ装置の通信に使用するＩＤ情報および暗号鍵を算出する計算工程と；
上記計算工程において算出されたＩＤ情報、暗号鍵を上記無線ＬＡＮ装置の通信に使用するＩＤ情報および暗号鍵として設定する設定工程と；
を有することを特徴とするコンピュータ周辺機器における無線ＬＡＮ装置の設定方法。
【請求項６】
情報処理装置における無線ＬＡＮ装置の設定方法において、
上記情報処理装置の周辺機器のドライバソフトをインストールする際に入力された上記周辺機器の識別情報に基づいて、上記無線ＬＡＮ機器による通信に使用するＩＤ情報および暗号鍵を計算する計算工程と；
上記計算工程において算出された上記ＩＤ情報および暗号鍵を、上記無線ＬＡＮ機器の通信用ＩＤ情報および暗号鍵として設定する設定工程と；
を有することを特徴とする情報処理装置における無線ＬＡＮ装置の設定方法。
【発明の詳細な説明】
【技術分野】
【０００１】
本発明は、無線ＬＡＮ装置の通信用の設定を行うコンピュータ周辺機器とコンピュータ等の情報処理装置と、無線ＬＡＮ装置の初期設定方法に関する。
【背景技術】
【０００２】
近年、無線ＬＡＮ装置が増え、無線ＬＡＮ装置を用いて接続されるコンピュータ周辺機器が出てきている。
【０００３】
無線ＬＡＮの方式として、ＩＥＥＥ８０２．１１規格に則ったものが普及し、特に、ＩＥＥＥ８０２．１１ｂ規格の無線ＬＡＮは、世界的な標準になっている。ＩＥＥＥ８０２．１１ｂ規格の無線ＬＡＮ装置搭載のパソコンの普及に伴い、ＰＣ周辺機器においても、ＩＥＥＥ８０２．１１ｂ規格の無線ＬＡＮ装置を搭載し、パソコンとの通信が可能なものが増えている。
【０００４】
ここで、無線ＬＡＮにおける最大の問題は、セキュリティの問題である。特に、一般家庭で、無線ＬＡＮ装置を使用する場合、一般的に、初期設定時に設定したＥＳＳＩＤ（Ｅｘｔｅｎｄｅｄ  Ｓｅｒｖｉｃｅ  Ｓｅｔ  ＩＤｅｎｔｉｆｉｅｒ）等のＩＤを、以後もそのまま使い、暗号鍵等によるセキュリティをかけない場合が多い。
【０００５】
マンション等の集合住宅や都会の住宅密集地において、隣家で無線ＬＡＮを使用している場合、隣家の無線ＬＡＮシステムに接続されることがあるという問題があり、また、プライベートなデータが、隣家に流れる可能性があるという問題がある。
【０００６】
ＩＥＥＥ８０２．１１ｂの無線ＬＡＮ装置においては、インフラストラクチャモードといわれるスター型接続と、アドホックモードと呼ばれる１対１通信との両方のモードで通信可能である。
【０００７】
上記インフラストラクチャモードでは、スター型接続の中心となるアクセスポイントのＭＡＣアドレスが、初期グループＩＤとして用いられる。
【０００８】
上記アドホックモードの通信では、無線ＬＡＮ装置のＩＤの初期値は、無線ＬＡＮ装置のＭＡＣアドレスを使用している場合が多いので、一方のＩＤに、他方が合わせて用いられる。
【０００９】
ここで、上記「ＭＡＣアドレス」は、機器に固有の番号であるので、隣家のＩＤと重なることがなく、隣家のパソコンや周辺機器と接続されることがない。また、ＩＥＥＥ８０２．１１ｂの無線ＬＡＮ装置は、日本では周波数帯が重ならないチャネルとして、４チャネルとれるので、通常、他者が使用しているチャネルは使わず、なるべく妨害波が少ないチャネルを使用する。
【００１０】
なお、無線ＬＡＮ装置のシリアル番号から周波数チャネルを決める技術が知られている（たとえば、特許文献１参照）。
【特許文献１】特開２０００−０５９３８８号公報
【発明の開示】
【発明が解決しようとする課題】
【００１１】
しかし、初期ＩＤが、「Ａｎｙｏｎｅ」のように単純な初期値になっている場合があり、また暗号鍵が設定されていないことが多いので、初期設定のままのＩＤを、ユーザが使用していると、新たに追加された隣家の無線ＬＡＮ装置が、自家の無線ネットワークに接続され、隣家のパソコンと自家のプリンタとが接続され、印刷されることがあり、また、ファイル情報やファイルの中身等のデータが、隣家のパソコンを介して、直接見られることがある。
【００１２】
また、ＩＥＥＥ８０２．１１ｂのチャネルは、周波数帯が重ならないように選ぶと、３〜４チャネルしか選べないので、無線ＬＡＮ装置のシリアル番号に基づいて周波数チャネルを決めているだけでは、ＩＤが同一である場合、隣家のネットワークに容易につながる可能性が高い。
【００１３】
本発明は、設定が容易であり、しかもマンション等の集合住宅や都会の住宅密集地において、隣家で無線ＬＡＮを使用している場合でも、隣家の無線ＬＡＮシステムに接続されること、また、プライベートなデータが隣家に漏洩してしまうことを防止することを目的とする。
【課題を解決するための手段】
【００１４】
本発明は、コンピュータ周辺機器の無線ＬＡＮ装置と、コンピュータの無線ＬＡＮ装置との初期設定方法であって、上記コンピュータ周辺機器の識別情報に基づいて、上記コンピュータ周辺機器の無線ＬＡＮ装置による通信に使用するＩＤ情報、暗号鍵を計算する第１の計算段階と、上記計算されたＩＤ情報、暗号鍵を、上記コンピュータ周辺機器の無線ＬＡＮ装置に記憶する第１の記憶制御段階と、上記コンピュータ周辺機器のドライバソフトを、上記コンピュータにインストールする際に、入力された上記コンピュータ周辺機器の識別情報に基づいて、上記コンピュータ上で無線ＬＡＮ装置による通信に使用するＩＤ情報、暗号鍵を、上記コンピュータ周辺機器と同じアルゴリズムで計算する第２の計算段階と、上記第２の計算段階で計算された上記ＩＤ情報、暗号鍵を、上記コンピュータの無線ＬＡＮ装置に記憶する第２の記憶制御段階とを有することを特徴とする。
【００１５】
上記方法により、周辺装置、コンピュータの両方の無線ＬＡＮ装置の通信用ＩＤ情報、暗号鍵の設定を簡単にでき、しかも、マンション等の集合住宅や都会の住宅密集地において、隣家で無線ＬＡＮを使用している場合、隣家の無線ＬＡＮシステムに接続されることがなく、また、プライベートなデータが隣家に漏洩することを防止できる。
【００１６】
また、無線ＬＡＮ装置による通信が可能であるコンピュータ周辺機器において、上記コンピュータ周辺機器の識別情報に基づいて、上記無線ＬＡＮ装置の通信に使用するＩＤ情報および暗号鍵を算出する計算手段と、上記計算手段により算出されたＩＤ情報、暗号鍵を上記無線ＬＡＮ装置の通信に使用するＩＤ情報および暗号鍵として設定する設定手段とを有することを特徴とする。
【００１７】
上記構成により、操作性の悪い周辺装置でも、無線ＬＡＮ用のＩＤ情報、暗号鍵を簡単に設定することができる。
【００１８】
また、無線ＬＡＮ装置を用いて通信する情報処理装置において、上記情報処理装置の周辺機器のドライバソフトをインストールする際に入力された上記周辺機器の識別情報に基づいて、上記無線ＬＡＮ機器による通信に使用するＩＤ情報および暗号鍵を計算する計算手段と、上記計算手段により算出された上記ＩＤ情報および暗号鍵を、上記無線ＬＡＮ機器の通信用ＩＤ情報および暗号鍵として設定する設定手段とを有することを特徴とする。
【００１９】
以上の構成により、周辺装置のドライバソフトのインストールの際に、簡単に無線ＬＡＮ用のＩＤ情報、暗号鍵を設定することができる。
【００２０】
また、コンピュータ周辺機器における無線ＬＡＮ装置の設定方法において、上記コンピュータ周辺機器の識別情報に基づいて、上記無線ＬＡＮ装置の通信に使用するＩＤ情報および暗号鍵を算出する計算工程と、上記計算工程において算出されたＩＤ情報、暗号鍵を上記無線ＬＡＮ装置の通信に使用するＩＤ情報および暗号鍵として設定する設定工程とを有することを特徴とする。
【００２１】
上記方法により、操作性の悪い周辺装置でも、無線ＬＡＮ用のＩＤ情報、暗号鍵を簡単に設定することができる。
【００２２】
また、情報処理装置における無線ＬＡＮ装置の設定方法において、上記情報処理装置の周辺機器のドライバソフトをインストールする際に入力された上記周辺機器の識別情報に基づいて、上記無線ＬＡＮ機器による通信に使用するＩＤ情報および暗号鍵を計算する計算工程と、上記計算工程において算出された上記ＩＤ情報および暗号鍵を、上記無線ＬＡＮ機器の通信用ＩＤ情報および暗号鍵として設定する設定工程とを有することを特徴とする。
【００２３】
以上の方法により、周辺装置のドライバソフトのインストールの際に、簡単に無線ＬＡＮ用のＩＤ情報、暗号鍵を設定することができる。
【発明の効果】
【００２４】
本発明によれば、無線ＬＡＮ装置の通信用ＩＤ情報、暗号鍵の設定を簡単にでき、しかも、マンション等の集合住宅や都会の住宅密集地において、隣家で無線ＬＡＮを使用している場合、隣家の無線ＬＡＮシステムに接続されることがなく、また、プライベートなデータが隣家に漏洩することを防止できる。
【発明を実施するための最良の形態】
【００２５】
下記に説明する実施例では、第１に、無線ＬＡＮ装置を用いて接続されるコンピュータ周辺機器とコンピュータの無線ＬＡＮ装置とを初期設定する場合、上記コンピュータ周辺機器の無線ＬＡＮ装置のＩＤ、暗号鍵を、上記コンピュータ周辺機器の製造番号に基づいて計算し、この計算されたＩＤ、暗号鍵が、上記コンピュータ周辺機器の無線ＬＡＮ装置に記憶される。そして、上記コンピュータ周辺機器と無線接続されるコンピュータにおいて、上記コンピュータ周辺機器のドライバソフトを上記コンピュータにインストールする際に、上記コンピュータ周辺機器の製造番号を入力し、この入力された製造番号に基づいて、上記コンピュータ上で無線ＬＡＮ装置のＩＤ、暗号鍵が、上記コンピュータ周辺機器における場合と同じアルゴリズムで計算され、上記コンピュータの無線ＬＡＮ装置に記憶される。
【００２６】
このようにすることによって、コンピュータ周辺機器と同じＩＤ、暗号鍵を設定することができ、つまり、コンピュータとコンピュータ周辺機器とは、ドライバをインストールするだけで、固有のＩＤ、暗号鍵がセットされるので、１対１通信であるアドホックモードが選ばれていれば、コンピュータとコンピュータ周辺機器とを、容易に接続することができ、しかも隣家のネットワークと接続されることなく、高い安全性を確保することができる。
【００２７】
また、第２に、無線ＬＡＮカードを接続することによって、無線ＬＡＮによる通信が可能になるコンピュータ周辺機器において、無線ＬＡＮカードを上記コンピュータ周辺機器に接続したときに、または、無線ＬＡＮカードを上記コンピュータ周辺機器に接続し、初めて電源を投入したときに、上記コンピュータ周辺機器から上記無線ＬＡＮカードに、上記コンピュータ周辺機器の製造番号に基づいて計算されたＩＤ、暗号鍵が、無線ＬＡＮカードに設定される。
【００２８】
プリンタ等のコンピュータ周辺機器において、従来、無線ＬＡＮカードを装着すると、無線ＬＡＮカードの初期設定でＩＤが決められ、コンピュータの無線ＬＡＮ装置もプリンタの無線ＬＡＮカードと同じ設定にして通信しなければならない。ところが、下記の実施例では、無線ＬＡＮカードを装着し、プリンタ等のコンピュータ周辺機器の電源を入れるだけで、コンピュータの周辺機器内で計算されたＩＤ、暗号鍵が、コンピュータ周辺機器に装着された無線ＬＡＮカードに設定されるので、無線ＬＡＮカードの初期設定に依存せず、１対１通信であるアドホックモードが選ばれていれば、コンピュータとコンピュータ周辺機器とが容易に接続され、しかも隣家のネットワークと接続されることなく、高い安全性を確保することができる。
【００２９】
さらに、第３に、無線ＬＡＮ装置を用いて接続される複数のコンピュータ周辺機器とコンピュータの無線ＬＡＮ装置とを設定する場合、上記複数のコンピュータ周辺機器の無線ＬＡＮ装置のＩＤ、暗号鍵は、上記複数のコンピュータ周辺機器の各製造番号に基づいて計算され、上記複数のコンピュータの周辺機器の各無線ＬＡＮ装置に記憶され、上記複数のコンピュータ周辺機器と無線接続される。
【００３０】
したがって、コンピュータにおいて、上記複数のコンピュータ周辺機器の各ドライバソフトを上記コンピュータにインストールする際に、上記コンピュータ周辺機器の製造番号を入力すれば、上記コンピュータ上で、無線ＬＡＮ装置のＩＤ、暗号鍵が、各コンピュータ周辺機器と同様のアルゴリズムによって計算され、各コンピュータ周辺機器と接続する際に、上記コンピュータの無線ＬＡＮ装置に、上記コンピュータ周辺機器の製造番号に基づいて計算されたＩＤ、暗号鍵が選ばれ、設定されることによって、上記各コンピュータ周辺機器と同じＩＤ、暗号鍵を設定することができる。
【００３１】
また、無線ＬＡＮで接続されるプリンタやスキャナ等のコンピュータ周辺機器が複数存在する場合、プリンタやスキャナ等のコンピュータ周辺機器では、コンピュータ周辺機器の無線ＬＡＮ装置のＩＤ、暗号鍵は、各製造番号から計算され、各無線ＬＡＮ装置に記憶される。
【００３２】
一方、コンピュータ側では、プリンタやスキャナ等のコンピュータ周辺機器の各ドライバソフトを、上記コンピュータにインストールする際に、コンピュータ周辺機器の製造番号を入力することによって、上記コンピュータ上で無線ＬＡＮ装置のＩＤ、暗号鍵が、各コンピュータ周辺機器と同じアルゴリズムによって計算され、記憶される。コンピュータが所定の１つのコンピュータ周辺機器と接続する際には、コンピュータの無線ＬＡＮ装置に、選ばれたコンピュータ周辺機器の製造番号に基づいて計算されたＩＤ、暗号鍵が選ばれ、設定されることによって、選ばれたコンピュータ周辺機器と同じＩＤ、暗号鍵がコンピュータの無線ＬＡＮカードに設定される。上記のようにして、複数の周辺機器とパソコンとが無線ＬＡＮで接続されている場合でも、各周辺機器の製造番号に基づいて計算されたＩＤ、暗号鍵で接続できるので、アドホックモードであれば、簡単に隣家のネットワークと接続されることなく、高い安全性を維持しつつ接続できる。
【実施例１】
【００３３】
図１、図２は、本発明の実施例１である無線ＬＡＮシステム１００を示す図である。
【００３４】
無線ＬＡＮシステム１００は、コンピュータＰＣ１、ＰＣ２と、プリンタＰｒ１、Ｐｒ２と、コンピュータ用無線ＬＡＮカードＰＣＣ１、ＰＣＣ２と、プリンタ用無線ＬＡＮカードＰｒＣ１、ＰｒＣ２とを有する。
【００３５】
コンピュータＰＣ１は、自家コンピュータであり、コンピュータＰＣ２は、隣家のコンピュータであり、プリンタＰｒ１は、自家のプリンタであり、プリンタＰｒ２は、隣家のプリンタである。
【００３６】
コンピュータＰＣ１は、無線ＬＡＮカードＰＣＣ１を具備し、コンピュータＰＣ２は、無線ＬＡＮカードＰＣＣ２を具備し、プリンタＰｒ１は、無線ＬＡＮカードＰｒＣ１を具備し、プリンタＰｒ２は、無線ＬＡＮカードＰｒＣ２を具備している。
【００３７】
図２は、無線ＬＡＮカードＰＣＣ１、ＰＣＣ２、無線ＬＡＮカードＰｒＣ１、ＰｒＣ２を装着する前の状態を示す図である。
【００３８】
ここで、無線ＬＡＮカードＰＣＣ１、コンピュータＰＣＣ２、無線ＬＡＮカードＰｒＣ１、ＰｒＣ２のそれぞれに、共通の初期ＩＤ「Ａｎｙｏｎｅ」が設定され、暗号鍵は、入力されていないとする。
【００３９】
図１に示す状態において、プリンタＰｒ１に、無線ＬＡＮカードＰｒＣ１が装着され、プリンタＰｒ１に電源を初めて投入すると、プリンタＰｒ１はプリンタＰｒ１の製造番号に基づいて、ＩＤ「ＩＤｐ１」と暗号鍵「ＫＥＹｐ１」とを計算し、この計算されたＩＤ「ＩＤｐ１」と暗号鍵「ＫＥＹｐ１」とを、無線ＬＡＮカードＰｒＣ１に設定する。
【００４０】
一方、コンピュータＰＣ１において、プリンタＰｒ１のドライバをインストールする際に、プリンタＰｒ１の製造番号をユーザが入力する。ユーザが入力したプリンタＰｒ１の製造番号に基づいて、プリンタドライバは、無線ＬＡＮカードＰＣＣ１のＩＤ「ＩＤｐ１」と暗号鍵「ＫＥＹｐ１」とを、プリンタと同様のアルゴリズムで計算し、この計算されたＩＤ「ＩＤｐ１」と暗号鍵「ＫＥＹｐ１」とを、コンピュータＰＣ１の無線ＬＡＮカードＰＣＣ１に設定する。
【００４１】
コンピュータＰＣ１は、プリンタＰｒ１と無線接続する際には、１対１の通信でよく、アドホックモードに設定してあれば、プリンタＰｒ１と簡単に接続される。
【００４２】
また、上記自家のコンピュータとプリンタにおけるＩＤ「ＩＤｐ１」と暗号鍵「ＫＥＹｐ１」との設定と同様に、隣家のコンピュータＰＣ２の無線ＬＡＮカードＰＣＣ２と、プリンタＰｒ２の無線ＬＡＮカードＰｒＣ２との間でも、ＩＤ「ＩＤｐ２」と暗号鍵「ＫＥＹｐ２」とを設定する。
【００４３】
上記のようにして、無線ＬＡＮを設定する際に、固有のＩＤが自動的に設定されるので、無線ＬＡＮカードの初期設定によって通信されることはない。したがって、たとえ隣家で、無線ＬＡＮカードの初期設定のままＬＡＮを運用し、隣家の無線ＬＡＮ装置の電波が、自家のＬＡＮ装置に届いていても、隣家のコンピュータやプリンタが、ネットワーク上で見えないので、自家のコンピュータＰＣ１、プリンタＰｒ１が隣家のネットワークに接続される心配がない。また、暗号鍵も自動的に設定されるので、盗聴等に関するセキュリティも容易に保つことができる。
【００４４】
プリンタの無線ＬＡＮ装置は、プリンタに内蔵されている場合と、無線ＬＡＮカードをプリンタに装着する場合とがあり、無線ＬＡＮ装置がプリンタに接続された後に、初めてプリンタに電源を入れたときに、プリンタ本体に記憶されているＩＤ、暗号鍵が、無線ＬＡＮ装置に記憶されるので、無線ＬＡＮカードを装着する場合でも、その初期設定を気にすることなく、固有のＩＤ、暗号鍵を、簡単に設定することができ、自家のコンピュータと安全に接続することができ、隣家のネットワークに接続される心配もない。
【００４５】
さらに、隣家のプリンタＰｒ２が、自家のプリンタＰｒ１と同一メーカの他機種である場合、製造番号に基づいて、同じアルゴリズムで、ＩＤ、暗号鍵を計算すると、同一のＩＤ、暗号鍵とが設定される可能性がある。これを防止するには、製造番号と機種との組み合わせに基づいて、ＩＤ、暗号鍵を計算するようにしてもよい。また、機種ごとに、互いに異なるアルゴリズムで、ＩＤ、暗号鍵を計算するようにしてもよい。
【００４６】
ここで、コンピュータとプリンタとを接続する周波数チャネルは、コンピュータの無線ＬＡＮ装置でパッシブスキャンを行い、空いているチャネルをユーザに指示し、プリンタ側の無線ＬＡＮ装置に設定させる。
【００４７】
また、初期接続チャネルを予め決め、空いているチャネルを無線で指示し、自動的に設定するようにしてもよい。
【実施例２】
【００４８】
図３は、本発明の実施例２である無線ＬＡＮシステム２００を示す図である。
【００４９】
無線ＬＡＮシステム２００は、１つのコンピュータが複数のコンピュータ周辺装置に接続される場合の実施例であり、コンピュータＰＣ１と、プリンタＰｒ１と、スキャナＳｃ１とを有する。
【００５０】
無線ＬＡＮシステム２００において、コンピュータＰＣ１と、プリンタＰｒ１と、スキャナＳｃ１とは、それぞれ無線ＬＡＮ装置を具備しているとする。
【００５１】
プリンタＰｒ１の無線ＬＡＮ装置は、無線ＬＡＮ装置が装着された後における初めての電源投入時に、プリンタの製造番号に基づいて計算されたＩＤ「ＩＤｐ１」と、暗号鍵「ＫＥＹｐ１」とが、プリンタＰｒ１の無線ＬＡＮ装置に設定される。また、スキャナＳｃ１の無線ＬＡＮ装置では、無線ＬＡＮ装置が装着された後における初めての電源投入時に、スキャナの製造番号に基づいて計算されたＩＤ「ＩＤｓ１」、暗号鍵「ＫＥＹｓ１」が、スキャナＳｃ１の無線ＬＡＮ装置に設定される。
【００５２】
一方、コンピュータＰＣ１側では、プリンタＰｒ１のドライバソフトをコンピュータＰＣ１にインストールするときに、プリンタＰｒ１の製造番号を入力することによって、コンピュータＰＣ１上で、無線ＬＡＮ装置のプリンタ用のＩＤ「ＩＤｐ１」、暗号鍵「ＫＥＹｐ１」が計算され、記憶される。
【００５３】
また、スキャナＳｃ１のドライバソフトをコンピュータＰＣ１にインストールするときに、スキャナＳｃ１の製造番号を入力することによって、コンピュータＰＣ１上で、無線ＬＡＮ装置のスキャナ用のＩＤ「ＩＤｓ１」、暗号鍵「ＫＥＹｓ１」を計算し、記憶される。
【００５４】
コンピュータＰＣ１が、プリンタＰｒ１を使用して印刷するときに、プリンタドライバが起動され、プリンタＰｒ１の製造番号に基づいて、プリンタ用のＩＤ「ＩＤｐ１」、暗号鍵「ＫＥＹｐ１」が計算され、この計算されたプリンタ用のＩＤ「ＩＤｐ１」、暗号鍵「ＫＥＹｐ１」が、コンピュータＰＣ１の無線ＬＡＮ装置にダウンロードされる。これによって、コンピュータＰＣ１の無線ＬＡＮ装置には、プリンタＰｒ１と同じＩＤや暗号鍵が設定され、通信が可能になり、印刷することができる。
【００５５】
次に、コンピュータＰＣ１が、スキャナＳｃ１から画像を取り込むときに、スキャナＳｃ１のドライバが起動され、スキャナＳｃ１の製造番号に基づいて、スキャナ用のＩＤ「ＩＤｓ１」、暗号鍵「ＫＥＹｓ１」が計算され、この計算されたスキャナ用のＩＤ「ＩＤｓ１」、暗号鍵「ＫＥＹｓ１」が、コンピュータＰＣ１の無線ＬＡＮ装置にダウンロードされる。これによって、コンピュータＰＣ１の無線ＬＡＮ装置には、スキャナＳｃ１と同じＩＤ、暗号鍵が設定され、スキャナＳｃ１との間で通信可能になり、スキャナＳｃ１から画像を取り込むことができる。
【００５６】
上記実施例によれば、パソコンと複数の周辺機器とが無線ＬＡＮで接続されている場合に、各周辺機器の製造番号に基づいて、ＩＤ、暗号鍵が計算され、この計算されたＩＤ、暗号鍵を使用して接続できるので、１対１通信であるアドホックモードが選ばれていれば、隣家のネットワークと接続されることなく、高い安全性で接続することができる。
【００５７】
次に、上記実施例の動作について、より具体的に説明する。
【００５８】
図４は、上記実施例において、プリンタとコンピュータとについて、ＩＤ、暗号鍵を設定する動作を示すフローチャートである。
【００５９】
まず、無線ＬＡＮ装置を実装する（Ｓ１）。この無線ＬＡＮ装置のＩＤは、「Ａｎｙｏｎｅ」であり、暗号鍵は設定されていないとする。次に、プリンタのシリアル番号に基づいて、ＩＤ「ＩＤｐ１」、暗号鍵「ＫＥＹｐ１」を計算する（Ｓ２）。そして、プリンタが、無線ＬＡＮ装置のＩＤ「ＩＤｐ１」、暗号鍵「ＫＥＹｐ１」を自動設定する（Ｓ３）。
【００６０】
一方、無線ＬＡＮ装置を実装し（Ｓ１１）、この場合におけるＩＤが、「Ａｎｙｏｎｅ」であり、暗号鍵が設定されていないとする。そして、周辺装置のドライバをインストールし（Ｓ１２）、周辺装置のシリアル番号をユーザが入力する（Ｓ１３）。
【００６１】
次に、上記実装された周辺装置のシリアル番号に基づいて、ＩＤ「ＩＤｐ１」、暗号鍵「ＫＥＹｐ１」を計算する（Ｓ１４）。その後、コンピュータが無線ＬＡＮ装置のＩＤ「ＩＤｐ１」、暗号鍵「ＫＥＹｐ１」を自動設定する（Ｓ１５）。
【図面の簡単な説明】
【００６２】
【図１】本発明の実施例１である無線ＬＡＮシステム１００を示す図である。
【図２】本発明の実施例１である無線ＬＡＮシステム１００を示す図である。
【図３】本発明の実施例２である無線ＬＡＮシステム２００を示す図である。
【図４】上記実施例において、プリンタとコンピュータとについて、ＩＤ、暗号鍵を設定する動作を示すフローチャートである。
【符号の説明】
【００６３】
１００、２００…無線ＬＡＮシステム、
ＰＣ１、ＰＣ２…パソコン、
Ｐｒ１、Ｐｒ２…プリンタ、
ＰＣＣ１、ＰＣＣ２…パソコン用無線ＬＡＮカード、
ＰｒＣ１、ＰｒＣ２…プリンタ用無線ＬＡＮカード、
Ｓｃ１…スキャナ。
【図１】
2005167739.tif 000003
【図２】
2005167739.tif 000004
【図３】
2005167739.tif 000005
【図４】
2005167739.tif 000006